(57)【要約】【課題】包装用アダプタが保持部に保持された状態において、保持部の貫通孔から包装用アダプタを抜けにくくすることが可能な照明器具の包装装置を提供する。【解決手段】取付アダプタ２１が保持される包装用アダプタ３０と、包装用アダプタ３０を保持するための貫通孔５５が形成される保持部５０と、包装用アダプタ３０、保持部５０、及び照明器具１０を収容する梱包箱６０と、を備え、包装用アダプタ３０は、保持部５０の貫通孔５５に差し込まれる第１突部３２と、第１突部３２が立設される台座３１と、第１突部３２に形成される庇状突起部４１と、を有し、台座３１の平面形状は貫通孔５５の平面形状よりも大きく、庇状突起部４１は、第１突部３２が貫通孔５５に所定位置まで差し込まれたとき、保持部５０の一部に重なる。【選択図】図８
2018002242.tif 000002
【特許請求の範囲】
【請求項１】
照明器具本体と取付アダプタとを有する照明器具を包装する、照明器具の包装装置であって、
前記取付アダプタが保持される包装用アダプタと、
前記包装用アダプタを保持するための貫通孔が形成される保持部と、
前記包装用アダプタ、前記保持部、及び前記照明器具を収容する梱包箱と、
を備え、
前記包装用アダプタは、前記保持部の貫通孔に差し込まれる第１突部と、前記第１突部が立設される台座と、前記第１突部に形成される係止部と、を有し、前記台座の平面形状は前記貫通孔の平面形状よりも大きく、
前記係止部は、前記第１突部が前記貫通孔に所定位置まで差し込まれたとき、前記保持部の一部に重なることを特徴とする、
照明器具の包装装置。
【請求項２】
前記台座には、前記第１突部が前記貫通孔に所定位置まで差し込まれたとき、前記保持部の前記包装用アダプタに対する幅方向の移動を規制する規制部が形成されることを特徴とする、
請求項１に記載の照明器具の包装装置。
【請求項３】
前記包装用アダプタは前記取付アダプタを取り付けられる第２突部を有し、前記第２突部は前記第１突部に立設され、
前記第１突部と前記第２突部との境界部には補強リブが設けられることを特徴とする、
請求項１又は請求項２に記載の照明器具の包装装置。
【発明の詳細な説明】
【技術分野】
【０００１】
本発明は、照明器具の包装装置に関する。
【背景技術】
【０００２】
従来、照明器具の包装装置として、取付アダプタを保持する包装用アダプタと、包装用アダプタを保持するための貫通孔を有する保持部と、保持部及び照明器具を収容する梱包箱とを備えた照明器具の包装装置が知られている（例えば、特許文献１参照）。
【先行技術文献】
【特許文献】
【０００３】
【特許文献１】特開２０００−２８１１３８号公報
【発明の概要】
【発明が解決しようとする課題】
【０００４】
特許文献１に記載の装置は、包装用アダプタ（本体押え）を保持部（位置決め緩衝材）の貫通孔（抜き穴）に差し込んで保持しており、包装用アダプタで照明器具を支えていた。しかしながら、輸送時等に梱包箱に外部から振動等の衝撃が加わった場合、包装用アダプタが保持部の貫通孔から抜けて、包装用アダプタが保持部の下部に滑り込んだ状態になるおそれがあった。このような状態になると、梱包箱内において照明器具が位置ずれしやすくなり、照明器具の位置が不安定になるおそれがあった。このように梱包箱内において照明器具の位置が不安定になると、梱包箱が誤って落下等してしまった場合に梱包箱内の照明器具が破損してしまう可能性がある。
【０００５】
本発明は、上記課題を解決すべくなされたものである。本発明の目的は、取付アダプタを保持する包装用アダプタと、包装用アダプタを保持するための貫通孔を有する保持部とを備えた照明器具の包装装置において、包装用アダプタが保持部の貫通孔に所定位置まで差し込まれたとき、保持部の貫通孔から包装用アダプタを抜けにくくすることである。
【課題を解決するための手段】
【０００６】
本発明の解決しようとする課題は以上の如くであり、次にこの課題を解決するための手段を説明する。
【０００７】
本願に開示する照明器具の包装装置は、照明器具本体と取付アダプタとを有する照明器具を包装する、照明器具の包装装置であって、
前記取付アダプタが保持される包装用アダプタと、
前記包装用アダプタを保持するための貫通孔が形成される保持部と、
前記包装用アダプタ、前記保持部、及び前記照明器具を収容する梱包箱と、
を備え、
前記包装用アダプタは、前記保持部の貫通孔に差し込まれる第１突部と、前記第１突部が立設される台座と、前記第１突部に形成される係止部と、を有し、前記台座の平面形状は前記貫通孔の平面形状よりも大きく、
前記係止部は、前記第１突部が前記貫通孔に所定位置まで差し込まれたとき、前記保持部の一部に重なる。
【０００８】
前記台座には、前記第１突部が前記貫通孔に所定位置まで差し込まれたとき、前記保持部の前記包装用アダプタに対する幅方向の移動を規制する規制部が形成されることが好ましい。
【０００９】
前記包装用アダプタは前記取付アダプタを取り付けられる第２突部を有し、前記第２突部は前記第１突部に立設され、
前記第１突部と前記第２突部との境界部には補強リブが設けられることが好ましい。
【発明の効果】
【００１０】
本願に開示する照明器具の包装装置によれば、第１突部が貫通孔に所定位置まで差し込まれたときに、係止部が保持部の一部に重なることで、係止部により保持部の移動を規制することができるので、保持部の貫通孔から包装用アダプタを抜けにくくすることが可能であるという効果を奏する。
【図面の簡単な説明】
【００１１】
【図１】本発明の実施例に係る照明器具の包装装置の斜視図。
【図２】図１のＧ―Ｇ線における一部断面図。
【図３】照明器具を保持部に固定し、梱包箱に収納した状態を示す平面図。
【図４】保持部の斜視図。
【図５】包装用アダプタの斜視図。
【図６】（ａ）保持部に包装用アダプタを差し込んでいる状態を示す側面断面図、（ｂ）図６（ａ）の一部拡大図、（ｃ）保持部が庇状突起部を通過している状態を示す側面断面図、（ｄ）図６（ｃ）の一部拡大図。
【図７】（ａ）保持部に包装用アダプタが保持された状態を示す側面断面図であり、図８のＪ−Ｊ断面図、（ｂ）図７（ａ）の一部拡大図。
【図８】保持部に包装用アダプタが保持された状態を示す平面図。
【図９】台座突起部が追加された包装用アダプタを示す斜視図。
【図１０】（ａ）保持部に包装用アダプタが保持された状態を示す側面断面図、（ｂ）図１０（ａ）の一部拡大図、（ｃ）保持部に包装用アダプタが保持された状態を示す側面断面図であり、図１１のＫ−Ｋ、（ｄ）図１０（ｃ）の一部拡大図。
【図１１】保持部に包装用アダプタが保持された状態を示す平面図。
【図１２】包装用アダプタと保持部との幅方向の寸法関係を示す側面断面図。
【図１３】（ａ）包装用アダプタと保持部との幅方向の寸法関係を示す図、（ｂ）図１３（ａ）の一部拡大図。
【図１４】包装用アダプタと保持部との抜け方向の寸法関係を示す図。
【図１５】包装用アダプタと保持部との抜け方向の寸法関係を示す図。
【発明を実施するための形態】
【００１２】
本発明の実施例に係る照明器具の包装装置（以下、単に「包装装置」という）１００について、図１から図１２を用いて説明する。包装装置１００は、図１、及び図２に示すように、照明器具本体１１、セード１２、及び取付アダプタ２１を有する照明器具１０を包装する包装装置である。尚、図２は、照明器具１０における照明器具本体１１の中央部分及びその近傍のみを断面描画し、外周近傍は側面視として描画している。
【００１３】
まず、本実施例で使用する照明器具１０の概略構成について説明する。図１、及び図２に示すように、照明器具１０は、天井等の取付面に直付けされる、平面形状が円形のシーリングライトである。照明器具１０は、主に照明器具本体１１、セード１２、センターカバー１３、及び取付アダプタ２１を有している。尚、照明器具１０は、平面形状が円形に限らず、多角形であってもよい。
【００１４】
照明器具本体１１は、照明器具１０の基体をなすものであり、ベース及びシャーシなどと呼ばれる部材である。照明器具本体１１は、ＬＥＤを用いた光源部（図示せず）、及びＬＥＤを点灯させるための電源装置や点灯装置（図示せず）等が設けられている。照明器具本体１１の中心部には、取付アダプタ２１を取り付けるための取付孔１４が設けられている。照明器具本体１１の取付面側には、取付面に接触する弾性部材１５が設けられている。尚、弾性部材１５は、必須ではない。また、照明器具本体１１の光源は、ＬＥＤに限らず、蛍光灯、有機ＥＬ（Ｅｌｅｃｔｒｏ−Ｌｕｍｉｎｅｓｃｅｎｃｅ）等の他の光源であってもよい。
【００１５】
セード１２は、照明器具本体１１の光照射面側を覆う部材であり、透光性を有する樹脂素材で形成されている。セード１２の全体形状は、中心部に穴を設けたドーナツ状であり、扁平な形状である。センターカバー１３は、セード１２の穴を覆うように取り付けられる部材であり、樹脂素材で形成されている。尚、センターカバー１３は必須ではない。また、セード１２の全体形状は、ドーナツ状に限らず、中心部に孔を設けていなくてもよい。
【００１６】
取付アダプタ２１は、照明器具１０を天井等の取付面に取り付ける際、照明器具用の配線器具（引っ掛けシーリング）に対して照明器具１０を固定するとともに、照明器具用の配線器具（引っ掛けシーリング）と照明器具１０を電気的に接続する部材である。取付アダプタ２１には、端子爪２２、止め部２３、操作レバー２４が設けられている。端子爪２２は、取付アダプタ２１の取付面側に一対設けられており（図２参照）、それぞれ先端部が鉤状に屈曲している。一対の端子爪２２を照明器具用の配線器具（引っ掛けシーリング）の端子用穴に差し込み、取付アダプタ２１を回動させることで、取付アダプタ２１が照明器具用の配線器具（引っ掛けシーリング）に固定され、かつ電気的に接続される。図１に示すように、止め部２３は、一対設けられ、取付アダプタ２１の側壁における互いに対向する位置に設けられている。操作レバー２４は、一対設けられ、止め部２３に連結または一体形成されている。したがって、止め部２３は、操作レバー２４を移動させることにより、操作レバー２４の移動方向と同一方向へ移動する。一対の操作レバー２４は、バネ等の弾性部材によって互いに離れる方向へ押されている。操作レバー２４を、互いに近寄る方向へ移動させることで、止め部２３は、取付アダプタ２１の側壁に対して進退するように構成されている。
【００１７】
照明器具本体１１を天井等の取付面に取り付ける場合には、照明器具用の配線器具（引っ掛けシーリング）に取付アダプタ２１を取り付けた上で、照明器具本体１１の取付孔１４に取付アダプタ２１を差し込む。これにより、止め部２３が取付孔１４の周縁部に係止され、照明器具本体１１が天井等の取付面に取り付けられた状態となる。取付アダプタ２１と照明器具本体１１に設けた電源装置とを電気的に接続することで、照明器具用の配線器具（引っ掛けシーリング）と照明器具１０とが電気的に接続される。
【００１８】
尚、本実施例で使用する照明器具１０は、ＬＥＤを光源とするシーリングライトであって、照明器具本体１１とセード１２とが固定されているが、包装装置１００で包装する照明器具１０はこれに限定されない。照明器具本体１１に対してセード１２を着脱できる照明器具１０であってもよい。
【００１９】
次に本実施例の包装装置１００について説明する。包装装置１００は、上記説明した照明器具１０を包装する包装装置である。図１、及び図２に示すように、包装装置１００は、包装用アダプタ３０、保持部５０、及び梱包箱６０から構成される。包装用アダプタ３０は樹脂（例えば、ポリプロピレン）で形成され、保持部５０、及び梱包箱６０は段ボールで形成されている。なお、本実施例の包装用アダプタ３０は樹脂で形成されるが、包装用アダプタ３０の素材は特に限定されず、パルプモールドで形成してもよい。パルプモールドとは、紙を水で溶かし、金網等で抄き上げたあと乾燥してできる紙成形品である。包装装置１００は、照明器具１０の取付アダプタ２１を利用して、包装装置１００の内部に照明器具１０を保持する構成である。
【００２０】
包装装置１００の概略を説明すると、図１、及び図２に示すように、包装装置１００は、保持部５０の貫通孔５５に包装用アダプタ３０の一部を差し込み、この包装用アダプタ３０に照明器具１０の取付アダプタ２１を取り付けて保持する。照明器具本体１１の取付孔１４にこの取付アダプタ２１を差し込むことにより、止め部２３が取付孔１４の縁部に係止され、照明器具本体１１が保持部５０に固定された状態となる。
以下では、図２、図６（ａ）及び図７（ｂ）に示すように、保持部５０の貫通孔５５に包装用アダプタ３０が差し込まれるときの、包装用アダプタ３０に対する保持部５０の移動方向を差し込み方向Ｙ１と称する。また、図２及び図７（ｂ）に示すように、保持部５０の貫通孔５５から包装用アダプタ３０が抜けるときの、包装用アダプタ３０に対する保持部５０の移動方向を抜け方向Ｙ２と称する。差し込み方向Ｙ１と抜け方向Ｙ２は、互いに逆の方向である。図２に示すように、差し込み方向Ｙ１及び抜け方向Ｙ２に直交する方向を幅方向Ｘと称する。
【００２１】
照明器具本体１１は、図２に示すように、保持部５０に固定されている状態のとき、取付アダプタ２１を介して包装用アダプタ３０に保持されており、包装用アダプタ３０に対して離間していることが好ましい。具体的には、照明器具本体１１は、包装用アダプタ３０の上面３５に対して浮き上がっていることが好ましい。これにより、保持部５０に保持された照明器具本体１１に対して外部から振動や衝撃が加わったとしても、照明器具本体１１が撓みにくくなるため、塑性変形してしまうことを防ぐことができる。
【００２２】
図１に示すように、照明器具１０は、保持部５０に固定された状態で、梱包箱６０に収納することができる。以下、包装用アダプタ３０、保持部５０、及び梱包箱６０について詳細に説明する。
【００２３】
図１、図２、図３、及び図４に示すように、保持部５０は、包装用アダプタ３０を保持可能な部材である。保持部５０は、底板５１、及び側板５２１〜５２６を備えている。底板５１は、平面形状が略八角形の平板状の部材である。底板５１は、円形の照明器具１０を収容できるよう、照明器具１０の投影面積よりやや大きく形成されている。具体的には、底板５１は、対辺寸法Ｅ１が、照明器具１０の直径寸法Ｒ１よりもやや大きく形成されている。これにより、照明器具１０の端部が側板５２１〜５２６に接触しにくくなるため、セード１２に傷等が付いてしまうことを防ぐことができる。また、照明器具１０を側板５２１〜５２６に囲まれた空間に挿入しやすくすることができる。側板５２１〜５２６は、底板５１の外周縁部から立ち上げられた部材である。側板５２１〜５２６の高さＨ１（図２参照）は、照明器具１０の高さＨ２（図２参照）よりやや高く形成されている。これにより、図２において、照明器具１０の矢印Ｙ２に示す方向における端部が梱包箱６０の内面に接触しにくくすることができるとともに、照明器具１０の端部が底板５１に接触しにくくすることができる。したがって、セード１２等に傷等が付いてしまうことを防ぐことができる。また、照明器具１０を梱包箱６０に挿入及び抜き出しやすくすることができる。保持部５０には、梱包箱６０に収容した状態から引き出しやすいように、把持部５３が設けられている。このため、保持部５０を梱包箱６０に収容する場合には、把持部５３が設けられている側板５２１が、梱包箱６０の開口部６８に位置するように位置決めされる（図１、図３参照）。なお、底板５１の平面形状に関しては、本実施例では略八角形に形成したが、これに限定されず、例えば、梱包箱６０の内側の平面形状に合わせて略四角形に形成してもよい。また、保持部５０については、側板５２１〜５２６を設けずに、底板５１のみで構成してもよい。
【００２４】
図４に示すように、保持部５０の底板５１には、包装用アダプタ３０を差し込んで保持するための貫通孔５５が形成されている。貫通孔５５の平面形状は、包装用アダプタ３０の第１突部３２の平面形状に相似している。
【００２５】
図１、及び図３に示すように、梱包箱６０は、保持部５０、及び照明器具１０を収容する部材である。梱包箱６０は、上板６１、下板６２、右側板６３、左側板６４、底板６５、及び蓋板６６を有している。蓋板６６は、フラップ６７とともに開口部６８を開閉する。保持部５０、及び照明器具１０は、開口部６８から梱包箱６０内へ出し入れすることができる。
【００２６】
保持部５０、及び照明器具１０を収納し、蓋板６６及びフラップ６７で開口部６８を閉じた状態の梱包箱６０は、上板６１、下板６２、右側板６３、左側板６４、底板６５、及び蓋板６６のいずれの面であっても下に向けて置くことができる。
【００２７】
包装用アダプタ３０は、取付アダプタ２１を保持する部材である。図５に示すように、包装用アダプタ３０は、台座３１、第１突部３２、第２突部３３、及び取付部３４を有している。
【００２８】
台座３１は、包装用アダプタ３０の底部となる部分である。台座３１は、第１突部３２を保持部５０の貫通孔５５に差し込んだ状態で、保持部５０の底板５１に対向する。台座３１の平面形状は、略方形としているがこれに限定されず、少なくとも第１突部３２及び貫通孔５５の平面形状よりも大きい形状であればよい。これにより、包装用アダプタ３０は、台座３１が保持部５０の貫通孔５５の周囲部分に接触可能となるため、保持部５０に対しての変位が規制される。
【００２９】
第１突部３２は、保持部５０の貫通孔５５に差し込まれる部分である。第１突部３２は、上面３５、第１側壁３６、及び第２側壁３７を有している。上面３５の外形輪郭形状（平面視）は、略八角形である。上面３５は、互いに対向する二対の長辺と、互いに対向する二対の短辺を有している。第１側壁３６は、上面３５の長辺に隣接する面である。第２側壁３７は、上面３５の短辺に隣接する面である。上面３５と第１側壁３６、および上面３５と第２側壁３７は、それぞれ斜交している。第１側壁３６及び第２側壁３７は、台座３１の上面に略垂直に立設される。台座３１と第１側壁３６、および台座３１と第２側壁３７は、それぞれ斜交している。第１突部３２の第１側壁３６と第２側壁３７は、交互に配置されて略八角柱形状に立設している。
【００３０】
尚、「略八角柱形状」とは、端面が八角形でかつ互いに対向する側面が平行である形状に限らず、端面が八角形でかつ互いに対向する側面が非平行である截頭八角錐形状を含む。また、第１突部３２は、略八角柱形状に限らず、略四角柱などのように少なくとも略多角柱形状であればよい。
【００３１】
第２突部３３は、第１突部３２の上面３５に立設され、截頭円錐形状を有している。取付部３４は、第２突部３３の上面に形成されている。取付部３４は、取付アダプタ２１の端子爪２２を取り付けるための差し込み孔３８を有している。取付部３４の中央部には、凹部３９が形成されている。凹部３９の裏側は凸部４０になっている。取付アダプタ２１を取り付けた状態では、端子爪２２が凸部４０に当接し（図２参照）、取付アダプタ２１の包装用アダプタ３０から離れる方向への変位が規制されるため、取付部３４に取付アダプタ２１が安定して取り付けられるようになっている。尚、第２突部３３は、必須の構成ではない。第２突部３３を省略し、第１突部３２の上面３５に差し込み孔３８及び凹部３９を備えることにより、本実施例と同様に機能させることができる。
【００３２】
図５に示すように、第１突部３２と第２突部３３との境界部３２１には補強リブ３２２が設けられる。補強リブ３２２は板状の部材であり、第１突部３２と第２突部３３との境界部３２１で立ち上がるように設置される。補強リブ３２２は、第２突部３３の周方向に間隔を空けて複数配置されている。補強リブ３２２を設けることで、第１突部３２と第２突部３３とは補強リブ３２２を介して強固に連結される。これによると、包装装置１００に外部から衝撃が加わった際に、照明器具１０の重さで第１突部３２と第２突部３３との境界部３２１に荷重がかかったとしても、補強リブ３２２により境界部３２１を補強しているので、第１突部３２と第２突部３３との境界部３２１が損傷を受けて、第２突部３３が第１突部３２からちぎれることを防ぐことが可能となる。また、第１突部３２と第２突部３３との境界部３２１に補強リブ３２２を設けることで、第１突部３２及び第２突部３３の肉厚を薄くしても境界部３２１の強度を確保することが可能となる。
なお、補強リブ３２２を、第１突部３２と台座３１との境界部に設けてもよい。これにより、第１突部３２と台座３１との境界部を補強できるので、当該境界部が損傷を受けて、第１突部３２が台座３１からちぎれることを防ぐことが可能となり、かつ、第１突部３２及び台座３１の肉厚を薄くしても当該境界部の強度を確保することが可能となる。
また、本実施例では補強リブ３２２を包装用アダプタ３０の表側（保持部５０を嵌め合わされる側）に設けたが、本発明はこれに限定されず、補強リブ３２２を包装用アダプタ３０の裏側に設けてもよい。
【００３３】
図５に示すように、第１突部３２の第１側壁３６及び第２側壁３７には、庇状突起部４１が形成されている。庇状突起部４１は、本発明の係止部の一例である。なお、本実施例では第１側壁３６及び第２側壁３７における庇状突起部４１の下部には孔４２が形成されているが、孔４２は存在せずに閉塞されていてもよい。庇状突起部４１は、各第１側壁３６に２ヶ所ずつ形成され、各第２側壁３７には１ヶ所ずつ形成されている。なお、庇状突起部４１は、少なくとも、第１突部３２における幅方向Ｘに対向する一対の側壁にそれぞれ１ヶ所ずつ形成されていればよい。
庇状突起部４１は、第１突部３２から突出する庇形状を有している。また、庇状突起部４１には、先端に向かうに従って厚さ方向Ｙに傾斜する傾斜面４１１が形成される（図６（ｂ）参照）。厚さ方向Ｙは、台座３１に対して第１突部３２が突出する方向とは反対の方向である。
【００３４】
以下では、包装用アダプタ３０が保持部５０に保持されるときの手順について説明する。なお、図６（ａ）〜図６（ｄ）、図７（ａ）〜図７（ｂ）及び図１０（ａ）〜図１０（ｄ）において、保持部５０については底板５１の切断端面図のみを表示することとする。
【００３５】
図６（ａ）に示すように、保持部５０が包装用アダプタ３０に対して差し込み方向Ｙ１に移動されて、保持部５０の貫通孔５５に包装用アダプタ３０の第１突部３２が差し込まれることで、保持部５０に包装用アダプタ３０が保持される。
【００３６】
図６（ｂ）、図６（ｃ）及び図６（ｄ）に示すように、第１突部３２が貫通孔５５に差し込まれるとき、貫通孔５５の縁部が庇状突起部４１の傾斜面４１１に接触する。このとき、上記のように傾斜面４１１は先端に向かうに従って差し込み方向Ｙ１に傾斜しているので、貫通孔５５の縁部を傾斜面４１１の傾斜形状に沿うように緩やかに変形させることができる。これにより、第１突部３２を貫通孔５５にスムーズに差し込んでいくことができ、貫通孔５５に対して庇状突起部４１をスムーズに通過させることが可能となる。
図７（ａ）、図７（ｂ）に示すように、庇状突起部４１が貫通孔５５を通過することで、保持部５０（底部５１）が庇状突起部４１と台座３１とで挟まれた状態になる。この状態における、貫通孔５５に対する第１突部３２の位置を保持位置と称する。
第１突部３２が貫通孔５５に対して前記保持位置まで差し込まれることで、包装用アダプタ３０が保持部５０に保持された状態になり、固定された状態になる。
【００３７】
以下では、包装用アダプタ３０が保持部５０に保持されたときの、包装用アダプタ３０と保持部５０との位置関係について詳細に説明する。
【００３８】
図７（ｂ）に示すように、第１突部３２が貫通孔５５に対して前記保持位置まで差し込まれて、包装用アダプタ３０が保持部５０に保持された状態のとき、保持部５０の貫通孔５５の縁部が庇状突起部４１に対して抜け方向Ｙ２に対向した状態になる。このときの保持部５０における庇状突起部４１と対向する箇所を、対向部５５１と称する。
図８に示すように、包装用アダプタ３０が保持部５０に保持された状態を、差し込み方向Ｙ１に見たとき、保持部５０の対向部５５１に対して、庇状突起部４１が重なった状態になる。従って、庇状突起部４１は、第１突部３２が貫通孔５５に所定位置（前記保持位置）まで差し込まれたとき、保持部５０の一部（対向部５５１）に重なることとなる。
【００３９】
図７（ａ）、図７（ｂ）及び図８に示すように、包装用アダプタ３０が保持部５０に保持された状態から、保持部５０が包装用アダプタ３０から抜けそうになったとしても、庇状突起部４１が対向部５５１に抜け方向Ｙ２から接触する。これにより、庇状突起部４１が保持部５０に対して抜け方向Ｙ２から係止して、保持部５０が包装用アダプタ３０に対して抜け方向Ｙ２に移動することを規制することとなる。その結果、保持部５０の貫通孔５５から包装用アダプタ３０を抜けにくくすることが可能となる。
【００４０】
なお、図９に示すように、台座３１に台座突起部７１を形成してもよい。台座突起部７１は、本発明に係る規制部の一例である。台座突起部７１は、第１突部３２が貫通孔５５に所定位置（前記保持位置）まで差し込まれたとき、保持部５０の包装用アダプタ３０に対する幅方向Ｘの移動を規制する。台座突起部７１は、複数設けられており、包装用アダプタ３０が保持部５０に保持された状態で、保持部５０（底板５１）と対向する位置に形成されている（図１０（ｂ）、図１０（ｄ）、及び図１１参照）。
これにより、包装用アダプタ３０が保持部５０に保持された状態のとき、保持部５０（底板５１）を台座突起部７１と庇状突起部４１とで挟持することが可能となる（図１０（ａ）及び図１０（ｂ）参照）。これにより、保持部５０の包装用アダプタ３０に対する幅方向Ｘの移動を規制することが可能となる。
また、包装用アダプタ３０が保持部５０に保持された状態のとき、台座突起部７１を保持部５０に抜け方向Ｙ２に突き刺すようにして設置することも可能となる（図１０（ｃ）及び図１０（ｄ）参照）。これにより、保持部５０の包装用アダプタ３０に対する幅方向Ｘの移動を規制することが可能となる。
このように、庇状突起部４１のみならず、台座突起部７１も設けることで、保持部５０の包装用アダプタ３０に対する抜け方向Ｙ２の移動のみならず、幅方向Ｘの移動も規制できるので、包装用アダプタ３０に対して保持部５０をより強固に位置固定でき、包保持部５０の貫通孔５５から包装用アダプタ３０をより抜けにくくすることが可能となる。
なお、台座突起部７１の数及び設置位置は本実施例の構成に限定されない。また、台座突起部７１は、少なくとも台座３１の各外辺の近傍に１つずつ設けられていればよい。このように構成する場合、本実施例では、台座３１が正方形なので、台座突起部７１は合計４つ設けられることとなる。
【００４１】
以下では、包装用アダプタ３０と保持部５０との寸法関係について詳細に説明する。
【００４２】
図１２、及び図１３（ａ）は、包装用アダプタ３０が保持部５０に保持された状態の側面断面図である。これらの側面断面図は、保持部５０の貫通孔５５の中心で切断されており、かつ、一対の庇状突起部４１・４１が幅方向Ｘに間隔を空けて対称に配置されている。
【００４３】
図１２は、図８のＪ−Ｊ切断断面図である。図１２に示すように、幅方向Ｘ両側に存在する庇状突起部４１・４１のうちの、一方の庇状突起部４１の先端部から他方の庇状突起部４１の先端部までの間の幅方向Ｘの寸法をＡとし、貫通孔５５の幅方向Ｘの寸法をＢとする。
寸法Ａは寸法Ｂよりも大きくなるように構成されている（Ａ＞Ｂ）。これにより、庇状突起部４１で保持部５０（底部５１）を係止することが可能となり、保持部５０の貫通孔５５から包装用アダプタ３０を抜けにくくすることが可能となる。
【００４４】
なお、上記の寸法Ａを寸法Ｂよりも大きくする構成（Ａ＞Ｂ）は、包装用アダプタ３０が保持部５０に保持された状態のときに、第１突部３２と貫通孔５５の間の隙間Ｆ（図１３（ｂ）参照）が小さくなるような構成を前提としている。一般的には、貫通孔５５は第１突部３２の外形寸法に合わせて形成されるため、隙間Ｆが小さくなるように形成される。この場合は、上記のＡ＞Ｂとする構成でも十分に対応可能である。
【００４５】
しかしながら、隙間Ｆが大きくなるような構成も考えられる。また、製造誤差により隙間Ｆが大きくなってしまう場合も考えられる。この場合は、Ａ＞Ｂの条件を満たしていたとしても、包装用アダプタ３０が貫通孔５５のＸ方向における一側に寄ってしまったときに、貫通孔５５の他側では保持部５０（底板５１）に対して庇状突起部４１が差し込み方向Ｙ１に重ならなくなってしまうおそれがある。この場合、庇状突起部４１による保持部５０の抜け防止機能が低下してしまう。
従って、上記のような隙間Ｆが大きくなるような構成でも対応できるようにするためには、すなわち、保持部５０（底板５１）に対して庇状突起部４１が差し込み方向Ｙ１に重なり、対向部５５１が生じるようにするためには、寸法Ａ、寸法Ｂ、及び寸法Ｃが、（Ａ−Ｃ）／２＞（Ｂ−Ｃ）となる条件を満たすように構成すればよい（図１３（ａ）及び図１３（ｂ）参照）。なお、寸法Ｃは、第１突部３２の幅方向Ｘの寸法であり、すなわち、一方の庇状突起部４１の基部から他方の庇状突起部４１の基部の間の幅方向Ｘの寸法である。
これにより、隙間Ｆが大きくなる構成であったとしても、庇状突起部４１が保持部５０に常に重なる状態になるため、庇状突起部４１で保持部５０を係止することが可能となり、保持部５０の貫通孔５５から包装用アダプタ３０を抜けにくくすることが可能となる。
【００４６】
図１４に示すように、包装用アダプタ３０が保持部５０に保持された状態において、保持部５０における貫通孔５５の縁部の抜け方向Ｙ２の寸法をＬとし、庇状突起部４１と台座３１との間の抜け方向Ｙ２の寸法をＭとする。
寸法Ｌは寸法Ｍよりも小さくなるように構成されている（Ｌ＜Ｍ）。これは、包装用アダプタ３０が保持部５０に保持された状態になるときに、貫通孔５５の縁部が、庇状突起部４１と台座３１との間の高さの範囲内におさまるようにして、庇状突起部４１から抜け方向Ｙ２にはみ出ないようにするためである。これにより、庇状突起部４１で保持部５０（底部５１）をより確実に係止することが可能となる。
【００４７】
図１５に示すように、台座３１に台座突起部７１を追加した装置については、寸法Ｌ、寸法Ｍ、及び寸法Ｎが、（Ｍ−Ｎ）≦Ｌ＜Ｍとなる条件を満たすように構成される方が好ましい。なお、寸法Ｎは、台座突起部７１の抜け方向Ｙ２の寸法である。
これにより、台座突起部７１が保持部５０から抜けそうになったとしても、庇状突起部４１が保持部５０（底部５１）に接触するので、台座突起部７１が保持部５０から抜けることを防ぐことが可能となる。
【符号の説明】
【００４８】
１０    照明器具
１１    照明器具本体
２１    取付アダプタ
３０    包装用アダプタ
３１    台座
３２    第１突部
３３    第２突部
４１    庇状突起部（係止部）
５０    保持部
５５    貫通孔
６０    梱包箱
７１    台座突起部（規制部）
１００  照明器具の包装装置
３２２  補強リブ
３２１  境界部
【図１】
2018002242.tif 000003
【図２】
2018002242.tif 000004
【図３】
2018002242.tif 000005
【図４】
2018002242.tif 000006
【図５】
2018002242.tif 000007
【図６】
2018002242.tif 000008
【図７】
2018002242.tif 000009
【図８】
2018002242.tif 000010
【図９】
2018002242.tif 000011
【図１０】
2018002242.tif 000012
【図１１】
2018002242.tif 000013
【図１２】
2018002242.tif 000014
【図１３】
2018002242.tif 000015
【図１４】
2018002242.tif 000016
【図１５】
2018002242.tif 000017